(57)【特許請求の範囲】
【請求項１】
吸引作業、加圧・圧送作業及び重力排出作業が可能であり、
回収物を収容可能で、ダンプアップとダンプダウンが可能なメインタンクと、
前記メインタンクから真空ポンプにつながり、経路中に開閉可能な制御バルブと、経路を通る流体を収容するサブタンクを設けた第１の送給経路と、
前記真空ポンプと冷却水タンクとをつなぎ、経路中に開閉可能な制御バルブを有する、冷却水を循環させる第２の送給経路と、
前記第１の送給経路と第２の送給経路を接続し、経路中に開閉可能な制御バルブを有する第３の送給経路と、
前記サブタンクに設けられ、前記サブタンクに収容された流体の液位を監視する第１のセンサと、
前記冷却水タンクに設けられ、前記冷却水タンクに貯留された冷却水の液位を監視する第２のセンサと、
前記メインタンクを開口しダンプアップして、重力による前記回収物の排出を行うことが可能なダンプ機構部と、
前記吸引作業、加圧・圧送作業及び重力排出作業を制御し、前記第１のセンサ又は前記第２のセンサが前記真空ポンプに不具合を生じる意味の液位の変化を検出したときに、前記吸引作業を停止する制御部と、
前記第１の送給経路、第２の送給経路及び第３の送給経路の前記各制御バルブを操作して前記吸引作業、加圧・圧送作業及び重力排出作業の各作業モードの切り替えが可能な操作部と、
前記各作業モードに対応する操作を遠隔で行うことが可能な携帯型の遠隔操作装置とを備えており、
前記操作部は、前記制御部の操作を入力するための、作業モード切替パネルとスイッチパネルの両方が操作可能に二重構造となった操作盤を有し、前記作業モード切替パネルには、前記吸引作業、前記加圧・圧送作業及び前記重力排出作業の各作業モードの切り替えを行うことができるモード切替スイッチと、前記各作業モードに対応するパイロットランプが設けられ、前記スイッチパネルには、前記各作業モードに対応するスタートスイッチ、停止スイッチ、スロットルの上げスイッチ及びスロットルの下げスイッチが設けられており、
前記遠隔操作装置は、前記各作業モードに対応するスタートスイッチ、停止スイッチ、スロットル上げスイッチ及びスロットル下げスイッチを有し、該各スイッチによるスタート、停止、スロットル上げ、及びスロットル下げをする操作を行うことが可能な
吸引作業車。
【発明の詳細な説明】
【技術分野】
【０００１】
本発明は、吸引作業車及び吸引作業車の真空ポンプの保護方法に関するものである。詳しくは、吸引作業中の真空ポンプの破損や焼き付きを自動的に抑止して、真空ポンプを保護することができる吸引作業車及び吸引作業車の真空ポンプの保護方法に関する。
【背景技術】
【０００２】
吸引作業車は、各種作業現場にある回収が必要な粒状体、粉体、或いは液体などを吸引して回収することができるものである。吸引作業車は、吸引した回収物を一旦貯留するメインタンクを備えており、メインタンク内に貯留した回収物は、適宜排出できるようになっている。
【０００３】
吸引作業車は、吸引ホースを使用し、きわめて強い吸引力で作業を行うので、作業には吸引ホースの作業者への吸着や作業者の手の吸い込みなど、大きな危険を伴う。そこで、近年では、特許文献１に記載されているような、作業者がリモコンなどを使用した遠隔操作によって、上記吸引ホースの作業者への吸着のような非常時においても作業停止を容易に行うことができるようにしたものが提案されている。
【０００４】
特許文献１に記載の従来の吸引作業車両は、吸引装置の状態を監視するセンサと、各センサ及び吸引装置に接続されて吸引装置の制御を行う制御装置と、制御装置と遠隔通信可能である遠隔操作装置とを備え、この遠隔操作装置が、制御装置と通信可能である通信部と、通信部に接続されて吸引装置の外観図に重ねて各センサによって監視した状態を表示する表示部と、制御装置の操作を入力する操作部とを有する。
【０００５】
この吸引作業車両は、上記構成を有することにより、吸引作業現場において吸引作業を行う作業者が吸引装置を操作して吸引作業を行うことができると共に、吸引装置の異常をリアルタイムで確認し、非常時にも遠隔操作装置を使用して作業の停止操作を可能とすることで、安全に吸引作業を行うことができるというものである。
【先行技術文献】
【特許文献】
【０００６】
【特許文献１】特開２００９−１２１０２９号公報
【発明の概要】
【発明が解決しようとする課題】
【０００７】
しかしながら、上記吸引作業車両を含む、従来の一般的な吸引作業車には、旧来続く次のような重要な課題があった。
【０００８】
すなわち、吸引作業車のメインタンクは、構造的に真空ポンプに繋がっており、回収物の吸引に使用されたエアは真空ポンプに入り、最終的には外気へ放出される。また、真空ポンプは、循環する冷却水によって冷却されるようになっている。
【０００９】
そして、吸引作業において、メインタンク内の回収物の量が満量となったときは作業が停止するように制御される。しかし、この制御が何らかの原因で利かなかった場合は、回収物がオーバーフローしてしまうことがあり、これが真空ポンプへ送られて、真空ポンプが破損してしまう重大な故障が発生することがあった。
【００１０】
また、真空ポンプには、吸引作業中、上記したように冷却水が供給されて冷却されているが、冷却水の量が維持されなくなって不足することがあり、これが原因で真空ポンプが焼き付きを起こして、重大な故障になることもあった。
【００１１】
この対策として、吸引作業時において、作業者が吸引作業車の側（そば）で、常時エンジン音や真空ポンプの音に注意を払い、異常音が発生したときに、手動によって運転の停止操作を行うようにしていた。しかし、人の判断が伴うこの方法では、停止させるタイミングが遅れてしまうことがあり、少なくない確率で上記故障が起こっていた。
【００１２】
本発明は、以上の点を鑑みて創案されたものであり、吸引作業中の真空ポンプの破損や焼き付きを自動的に抑止して、真空ポンプを保護することができる吸引作業車及び吸引作業車の真空ポンプの保護方法を提供することを目的とする。
【課題を解決するための手段】
【００１３】
（１）上記の目的を達成するために本発明は、吸引作業、加圧・圧送作業及び重力排出作業が可能であり、メインタンクと、前記メインタンクから真空ポンプにつながり、経路中に制御バルブを有する第一の送給経路と、前記真空ポンプを通り、経路中に制御バルブを有する、冷却水を循環させる第二の送給経路と、前記第一の送給経路又は前記第二の送給経路に、前記各送給経路を通る流体の流量又は液位を監視するセンサを有するキャッチャーと、前記メインタンクを開口して傾けて、重力による排出を行うダンプ機構部と、前記各送給経路を通る流体の流量又は液位が前記真空ポンプに不具合を生じる意味の変化をしたときに吸引作業を停止する制御部と、前記各送給経路の各制御バルブを操作して前記各作業のモード切り替えが可能な操作部とを備える吸引作業車である。
【００１４】
本発明の吸引作業車は、第一の送給経路と第二の送給経路の制御バルブを適宜開閉することにより、各作業モードに対応可能な流通経路を設定することができる。
吸引作業を行う際には、メインタンクから第一の送給経路を通り、真空ポンプへ吸引され、メインタンクに回収物が溜まる。
【００１５】
第一の送給経路を通る流体の流量又は液位をセンサで監視することにより、流量又は液位の前記真空ポンプに不具合を生じる意味の好ましくない変化を検出して、制御部で吸引作業を停止することにより、この流量又は液位の変化に起因する不具合の発生を防止することができる。
【００１６】
加圧・圧送作業を行う際には、第一の送給経路の流体の流れが、吸引作業とは逆方向の流れとなるように各制御バルブを設定し、メインタンク内の圧力を所定の圧力に上げることにより、回収物を排出口から外部へ排出することができる。
【００１７】
また、重力排出作業を行う際には、メインタンクをダンプ機構部により、ハッチ（ハッチバック）を開放した開口部側に傾倒させてダンプアップすることにより、内部の回収物を自然落下させて排出することができる。
【００１８】
（２）本発明に係る吸引作業車は、前記キャッチャーが前記第一の送給経路に設けられたサブタンクと前記第二の送給経路に設けられた冷却水タンクとからなり、前記センサが、前記サブタンクに設けてある第一の液位センサと、前記冷却水タンクに設けてある第二の液位センサとからなる構成とすることもできる。
【００１９】
この場合、サブタンクに回収物が溜まると水位が上がるので、第一の液位センサでは、予め設定された水位の上限を監視する。水位が上限を超えると、制御部に信号が送られて、吸引作業は停止する。これにより、真空ポンプへ回収物の一部が送られて真空ポンプの破損が起こることが抑止され、重大な故障の発生を防止することができる。
【００２０】
また、冷却水タンクに設けてある第二の液位センサでは、冷却水の水位の予め設定された下限を監視する。水位が下限以下になると、制御部に信号が送られて、吸引作業は停止する。これにより、真空ポンプの焼き付きが起こることが抑止され、重大な故障の発生を防止することができる。
【００２１】
（３）本発明に係る吸引作業車は、前記操作部が、前記制御バルブを自動操作するバルブ開閉装置を備える構成とすることもできる。
【００２２】
この場合は、操作部が制御バルブを自動操作するバルブ開閉装置を備えているので、操作開始から操作完了までのタイムラグをなくすことが可能になり、作業モードの切り替えが迅速にできる。また、作業者による手作業とは相違して、制御バルブの開閉ミスが起こらないので、これによる事故の発生も防止できる。
【００２３】
（４）本発明に係る吸引作業車は、前記制御部による制御を遠隔操作で行うことが可能な携帯型の遠隔操作装置を備える構成とすることもできる。
【００２４】
この場合は、例えば一人の作業者で吸引作業を行っているときに、吸引ホースが作業者に吸着して、作業者が身動きできなくなった場合でも、作業者が携帯している遠隔操作装置を操作して、吸引作業を停止させれば、危険回避が可能であり、安全性に寄与できる。
【００２５】
（５）上記の目的を達成するために本発明は、真空ポンプによって、メインタンクに回収物を吸引する吸引工程と、前記メインタンクから、前記メインタンクと前記真空ポンプの間の第一の送給経路に回収物が漏れ出て、前記第一の送給経路に設けてあるサブタンク内に所定量以上に回収物が溜まったときに、それを第一のセンサで検出して、吸引作業を停止させる作業停止工程とを備える吸引作業車の真空ポンプの保護方法である。
【００２６】
本発明の吸引作業車の真空ポンプの保護方法によれば、第一の送給経路に設けてあるサブタンク内に所定量以上に回収物が溜まったときに、それを第一のセンサで検出して、吸引作業を停止させることができる。これにより、真空ポンプへ回収物の一部が送られて真空ポンプの破損が起こることが抑止され、重大な故障の発生を防止することができる。
【００２７】
（６）本発明に係る吸引作業車の真空ポンプの保護方法は、前記真空ポンプを通り、冷却水を循環させる第二の送給経路の冷却水タンク内の水が所定量以下になったときに、それを第二のセンサで検出して、吸引作業を停止させる作業停止工程を備える構成とすることもできる。
【００２８】
この場合は、第二の送給経路の冷却水タンク内の水が所定量以下になったときに、それを第二のセンサで検出して、真空ポンプへ送られる冷却水が、冷却機能を果たせなくなるまで減ってしまう前に、吸引作業を停止させることができる。これにより、真空ポンプの焼き付きが起こることが抑止され、重大な故障の発生を防止することができる。
【００２９】
（７）本発明に係る吸引作業車の真空ポンプの保護方法は、前記制御部による制御を遠隔操作で行うことが可能な遠隔操作装置により行い、作業モードの切り替えは前記操作部により手動で行う構成とすることもできる。
【００３０】
この場合は、遠隔操作装置では、作業モードの切り替えを行わないので、緊急時にも同じ作業モードでの危険回避操作、つまりは作業停止操作に集中すればよいので、操作が単純化し、危険回避をより確実に行うことができ、安全性に寄与できる。
【発明の効果】
【００３１】
本発明は、吸引作業中の真空ポンプの破損や焼き付きを自動的に抑止して、真空ポンプを保護することができる吸引作業車及び吸引作業車の真空ポンプの保護方法を提供することができる。
【図面の簡単な説明】
【００３２】
【図１】本発明に係る吸引作業車の一実施の形態を示す側面視説明図である。
【図２】図１におけるＰ部分の拡大説明図である。
【図３】図１に示す吸引作業車の平面視説明図である。
【図４】操作部を示し、（ａ）は作業モード切替パネルの正面視説明図、（ｂ）は作業モード切替パネルを開いた状態のスイッチパネルの正面視説明図である。
【図５】吸引作業車の制御系を示す説明図である。
【図６】スロットル上下装置を示し、（ａ）は側面視要部断面説明図、（ｂ）ロータリーソレノイドの説明図である。
【図７】ハッチのロックとロック解除をするロック装置を示し、（ａ）はメインタンクのボディ側から見た要部断面説明図、（ｂ）はハッチ側から見た説明図である。
【図８】吸引作業車による吸引作業におけるエアと水の流れ、及び回収物の移動を示す説明図である。
【図９】真空ポンプを保護する保護装置の構成を示す説明図である。
【図１０】吸引作業時における制御バルブの状態を示す説明図である。
【図１１】吸引作業車による加圧・圧送作業におけるエアの流れを示す説明図である。
【図１２】加圧・圧送作業時における制御バルブの状態を示す説明図である。
【図１３】重力排出作業時におけるエアの流れを示す説明図である。
【図１４】中立運転時におけるエアの流れを示す説明図である。
【図１５】中立運転時における制御バルブの状態を示す説明図である。
【発明を実施するための形態】
【００３３】
図１乃至図１５を参照して、本発明の実施の形態を更に詳細に説明する。
吸引作業車Ａは、（１）各種作業現場で生じる回収物を吸引ホースで吸引してメインタンク１に積載する吸引作業、（２）メインタンク１内に積載した回収物を決められた場所に圧送ホースで送る加圧・圧送作業、及び（３）メインタンク１内に積載した回収物を、メインタンク１をダンプアップして自然落下によって排出する重力排出作業を行うことができる作業車である。
【００３４】
吸引作業車Ａは、自走車両であり、車台Ｃを有している。
車台Ｃの後部には、メインタンク１を有している。メインタンク１の、後部が開口し前部が閉塞した有底ドラム形状のボディ１０は、その後端下部に設けられた支承部材（符号省略）が横軸１００で軸支されている。
【００３５】
ボディ１０は、車台Ｃとボディ１０間に、左右両側（図３で上下側）に設けられた油圧シリンダー１１の作動によって、前側が上下動することで回動可能である（図１３参照）。なお、メインタンク１と横軸１００と各油圧シリンダー１１は、ダンプ機構部を構成する。
【００３６】
ボディ１０の前部側の上部には、鉛直方向へダクト（符号省略）が設けられ、ダクトには移送ホース１２の一端部が接続されている。移送ホース１２は、可撓性を有すると共に、内部の急激で真空に近い減圧及び加圧時の高圧に耐える充分な強度を有している。また、移送ホース１２は所定の長さに設定され、他端部は後述するサイクロン２の導入管２０に接続されている。
【００３７】
メインタンク１は、ボディ１０の後部開口側に開閉可能なハッチ１３を有している。ハッチ１３は、ボディ１０の後端上部に横軸１０１で軸支され、ボディ１０とハッチ１３間に、左右両側に設けられた油圧シリンダー１４の作動によって上下方向へ回動して開閉可能である。
【００３８】
ハッチ１３の中央よりやや下側には、吸引接続管１３０が内外を貫通して設けられている。吸引接続管１３０は、常態（図１、図３の状態）において、前側が上がり傾斜して、その先端の排出口（符号省略）がボディ１０の内天部の近傍に位置するようにしてある（図８等参照）。
【００３９】
吸引接続管１３０には、後述する吸引作業の際に、吸引ホース１３１が接続される。吸引ホース１３１は、可撓性を有すると共に、少なくとも内部の急激で真空に近い減圧に耐える充分な強度を有している。
【００４０】
また、ハッチ１３の左寄り（図３で下側）、かつ下端近傍には、圧送接続管１３２が内外を貫通して設けられている。圧送接続管１３２には、後述する加圧・圧送作業を行う際に、圧送ホース（図示省略）が接続される。
【００４１】
圧送ホースは、可撓性を有すると共に、少なくとも内部が急激に高圧になっても耐えられる充分な強度を有している。なお、上記吸引接続管１３０と圧送接続管１３２には、ホースを接続したときには開き、接続しないときには閉じる機能を有するボールコックが使用されている。
【００４２】
ハッチ１３には、ハッチ１３を閉じたときに、その状態をロックしたり解除したりすることができるロック装置１５を備えている（図７参照）。ロック装置１５は、ボディ１０の左右両側の下寄りに設けられている。なお、図７では、右側のロック装置１５を表している。
【００４３】
上記ハッチ１３は、自身の外周縁に設けられたフランジ１３４を、ボディ１０の開口側の外周縁に設けられたフランジ１０２にパッキン（図示省略）を介して密着させた状態でロックされる。ロックは、回動する軸１５０の先端に固定されたロック片１５１によって行われる。また、ハッチ１３のロック状態は、図示していない近接センサにより検出されるようになっている。
【００４４】
軸１５０は、ボディ１０側に固定された軸受部材１５２に貫通して軸支され、その一端部は、フランジ１０２を回転可能に貫通している。軸１５０の貫通した側の先端部には、上記したようにロック片１５１が固定されている。また、軸１５０のロック片１５１とは反対側の端部には、アーム片１５３が固定されている。
【００４５】
一方、ボディ１０の外面には、ロッドを下方へ向け、シリンダーの基端を取付部材１５４に回動可能に軸支して、油圧シリンダー１５５が取り付けられている。油圧シリンダー１５５のロッド先部とアーム片１５３の先部は、ボルトピン１５６で回動可能に接続されている。
【００４６】
なお、ロック片１５１とアーム片１５３は、油圧シリンダー１５５のロッドが伸長したときに、ロック片１５１が、閉じたハッチ１３のフランジ１３４に強く抑えるように被さり、ロッドが縮んだときにフランジ１３４から外れるところまで回る、軸回転方向の角度を以て軸１５０に固定されている。
【００４７】
また、車台Ｃの前部には、サブタンク３と冷却水タンク４が左右に並んで設けられている。冷却水タンク４は、冷却水を溜めるタンクであり、内部に所定量の水を溜めた状態を維持できるようにしている。
【００４８】
冷却水タンク４のやや後方には、サイクロン方式の遠心分離機であるサイクロン（サイクロン集塵器）２が設けられている。サイクロン２は導入管２０が接続されており、導入管２０には、後述するように移送ホース１２が接続される。
【００４９】
ここで図８、図１１、図１３及び図１４を合わせて参照する。
サイクロン２とサブタンク３の上部は送給管３０で接続されている。送給管３０の経路途中には、電磁式バタフライ弁である制御バルブＶ２が設けられている。
【００５０】
また、車台Ｃのほぼ中央には真空ポンプ５が設置されている。真空ポンプ５は、油圧ポンプ（符号省略）と共に、吸引作業車ＡのエンジンのＰＴＯ（動力取出軸）から動力を取り、駆動される（図１０、図１２、図１５参照）。真空ポンプ５は、エンジンの回転力によって回収物の吸引又は圧送を行うものであり、エンジンの回転数によって流量の調整が可能である。また、油圧ポンプは、油圧シリンダー等の油圧機器にオイルを供給して駆動する。
【００５１】
真空ポンプ５の吸引口（符号省略）とサブタンク３の上部は、送給管５０で接続されている。送給管５０の経路途中には、送給管５１が接続されており、その経路途中には、制御バルブＶ１が設けられている。なお、サブタンク３は、正常状態では内部に空間（符号省略）があり、送給管５０には、サブタンク３の液位がオーバーフローしない間はエアが通るようになっている。
【００５２】
真空ポンプ５の排出口（符号省略）と上記冷却水タンク４の上部側は、送給管４０で接続されている。送給管４０の経路途中には、制御バルブＶ４が設けられている。冷却水タンク４の上部側には、エアを抜く排気管４１が設けられている。
【００５３】
また、冷却水タンク４の底部からは、冷却水を送る送給管４２が導出され、送給管５０の経路中に接続されている。なお、上記移送ホース１２、導入管２０、及び送給管５０は、第一の送給経路を構成している。また、上記送給管４０、送給管４２、及び送給管５０は、第二の送給経路を構成している。
【００５４】
そして、送給管３０のサブタンク３から制御バルブＶ２より遠い部分と、送給管４０の冷却水タンク４から制御バルブＶ４より遠い部分とが、接続管３１により接続されており、接続管３１の経路途中には、制御バルブＶ３が設けられている。
【００５５】
また、サブタンク３の内部には、上部寄りの所定の高さに、第一のセンサである液位センサＳ１が設けられている。液位センサＳ１は、サブタンク３の内部にメインタンク１でオーバーフローした回収物をキャッチし、その量が所定量を超えたときに、上がった水位を検知するセンサである（図８、図１１、図１３、図１４参照）。
【００５６】
更に、冷却水タンク４の内部には、下部寄りの所定の高さに、第二のセンサである液位センサＳ２が設けられている。液位センサＳ２は、冷却水タンク４の内部の冷却水が所定の量以下になったときに、下がった水位を検知するセンサである（図８、図１１、図１３、図１４参照）。
【００５７】
液位センサＳ１、Ｓ２は、図９に示すように、何れも、運転の正常状態からの水位の変化を検知したときには、後述する制御部７２に停止信号を入力し、吸引作業を初めとする真空ポンプが作動する各作業が中立状態（アイドリング状態）となり作業を停止させる。また、何れも、水位が運転の正常状態に戻ったときには、制御部７２に電源入信号を入力し、各作業を再開させるようにしてある。
【００５８】
なお、本実施の形態では、第一、第二のセンサとして液位センサを使用し、液位センサＳ１にはニュートラルオープン型、液位センサＳ２にはニュートラルクロス型のセンサを採用したが、これに限定するものではなく、センシングの方法が異なる公知の各種センサを採用することも可能である。
【００５９】
また、上記各制御バルブＶ１、Ｖ２、Ｖ３、Ｖ４は、上記各作業モード、（１）吸引作業モード、（２）加圧・圧送作業モード、（３）重力排出作業モード、又は中立状態に対応して開閉制御が行われる。この際の各制御バルブＶ１、Ｖ２、Ｖ３、Ｖ４の開閉は、以下説明するように開閉装置９、９ａ、９ｂ、９ｃにより行われる。
【００６０】
なお、制御バルブＶ１は開閉装置９により開閉操作され、制御バルブＶ２は開閉装置９ａにより開閉操作され、制御バルブＶ３は開閉装置９ｂにより開閉操作され、制御バルブＶ４は開閉装置９ｃにより開閉操作される（図１乃至図３参照）。
【００６１】
ここで、開閉装置９、９ａ、９ｂ、９ｃについて、主に要部拡大図である図２を参照して説明する。なお、開閉装置９、９ａ、９ｂ、９ｃは同様の構造であるので、以下の構造の説明は開閉装置９を例に取り説明し、他の装置については説明を省略する。
【００６２】
開閉装置９は、送給管に固定されている縦に長い基盤９０を有し、基盤９０にはエアシリンダー９１がロッドを下に向けて取り付けてある。基盤９０の下部には、上記制御バルブＶ１の開閉操作を行う揺動レバー９２が設けてある。エアシリンダー９１のロッド先端部は、揺動レバー９２の先端部に回動可能に軸支されている。
【００６３】
これにより、エアシリンダー９１が作動してロッドが伸縮することにより、揺動レバー９２が回動し、負荷開放弁である制御バルブＶ１の開閉操作を行うことができる。そして、同様に、制御バルブＶ２、Ｖ３、Ｖ４も、それぞれ対応する開閉装置９ａ、９ｂ、９ｃによって開閉操作を行うことができる。
【００６４】
制御バルブＶ１、Ｖ２、Ｖ３、Ｖ４は、図１０、図１２、図１５に示すようにエアタンク８の空気圧を利用し、エアシリンダー９１を作動させて、電磁切替バルブであるイ弁８０、ロ弁８１、ハ弁８２により、各作業モードに対応する開閉操作が行われる。イ弁８０は、３ポート電磁切替弁であり、エアタンク８に接続されている。
【００６５】
ロ弁８１とハ弁８２は、何れも５ポート電磁切替弁であり、エア経路がイ弁８０に並列で接続されている。ロ弁８１は、制御バルブＶ１の開閉操作を行い、ハ弁８２は、制御バルブＶ２、Ｖ３、Ｖ４の開閉操作を行う。このように、制御バルブＶ１、Ｖ２、Ｖ３、Ｖ４は、各ポートにイ弁８０、ロ弁８１、ハ弁８２により、適宜エアが送られることにより、開閉操作が行われる。
【００６６】
吸引作業車Ａの左側の開閉装置９、９ａ、９ｂ、９ｃの下方には、後述する制御部７２の操作を入力する操作盤７が設けられている（図１、図２参照）。
操作盤７は、図４に示すように、二重構造となった作業モード切替パネル７０とスイッチパネル７１を有している。
【００６７】
作業モード切替パネル７０は、図４（ａ）に示すように、右側にトグルスイッチであるモード切替スイッチ７００が設けられ、吸引作業（上位置）と加圧・圧送作業（下位置）、及び重力排出作業（中間位置）のモード切換を行うことができる。
【００６８】
また、吸引作業モードでは左側の上段の緑色のパイロットランプ７０１が点灯し、加圧・圧送作業モードでは下段の赤色のパイロットランプ７０３が点灯し、重力排出作業モードでは中段の黄色のパイロットランプ７０２が点灯する。なお、吸引作業モードにおいてスロットル上げ時には、パイロットランプ７０４が赤色点灯するようになっている。
【００６９】
そして、作業モード切替パネル７０を右方へ開くと、スイッチパネル７１が表れる。スイッチパネル７１は、図４（ｂ）に示すように、四つの押しボタンスイッチを備えている。左上の「１」のスタートスイッチ７１０は、吸引作業、加圧・圧送作業時に「入」の操作を行うことができ、右上の「２」の停止スイッチ７１１は、同じく「切」の操作を行うことができる。
【００７０】
また、左下の「３」のスイッチ７１２は、吸引作業時のみ「スロットル上げ」の操作を行うことができ、右下の「４」のスイッチ７１３は、同じく「スロットル下げ」の操作を行うことができる。そして、スイッチパネル７１の内部には、作業モード切替パネル７０とスイッチパネル７１の操作によって吸引作業車の各部の作動制御を行う制御部７２を備えている。
【００７１】
図５を参照し、制御部７２により作動制御される吸引作業車の各部について簡単に説明する。操作盤７につながる制御部７２は、吸引作業、加圧・圧送作業、及びエンジンスロットルを制御する制御回路（符号省略）と、重力排出作業を制御する制御回路（符号省略）を備えている。
【００７２】
制御部７２は、吸引作業、加圧・圧送作業、及びエンジンスロットルを制御する制御回路によって、「Ａ」吸引作業、「Ｂ」加圧・圧送作業、「Ｃ」メイン切替弁、「Ｄ」エンジンスロットル上下用モーター（吸引作業時）の各制御を行う。
【００７３】
また、「Ｅ」エンジンスロットル上下用ロータリーソレノイド（吸引作業時）、及び「Ｆ」エンジンスロットル上下用ロータリーソレノイド（加圧・圧送作業、重力排出作業、ハッチ開閉、ダンプ上下時）の各制御を行う。
【００７４】
ここで、図６を参照して、エンジンスロットルを上下させて調整するスロットル上下装置６について説明する。スロットル上下装置６は、基盤（符号省略）に固定されたガイドフレーム６０を有し、ガイドフレーム６０の内部側には、ガイド６２に沿って昇降可能な昇降フレーム６３が設けてある。
【００７５】
昇降フレーム６３にはロータリーソレノイド６４Ａが保持されている。ロータリーソレノイド６４Ａの作動アーム６４０の先端部は、所定の長さに設定されガイドフレーム６０に固定された固定ワイヤ６００に接続されている。
【００７６】
昇降フレーム６３の下部は、ガイドフレーム６０との間に取り付けられたバネ６５によって下方へ付勢されている。昇降フレーム６３の上面には支軸６６が設けられ、支軸６６には、先端部がガイドフレーム６０上部のブラケット６７に回転可能に軸支された駆動アーム６８の中間部が回動可能に嵌め入れてある。
【００７７】
また、ガイドフレーム６０に隣接してストロークモーター６１が固定され、ストロークモーター６１のロッド６９の先端部は、駆動アーム６８の基端部に回動可能に軸支されている。
【００７８】
これによれば、ストロークモーター６１の作動により、昇降フレーム６３とロータリーソレノイド６４Ａが昇降し、固定ワイヤ６００に規制された作動アーム６４０が回動して、スロットルを上下させて調整することができる。
【００７９】
そして、制御部７２は、重力排出作業を制御する制御回路によって、「イ」ハッチ開、「ロ」ハッチ閉、「ハ」ハッチロック開放、「ニ」ハッチロック：「ヌ」ロック入完了ブザー、「ホ」ダンプ上、「ヘ」ダンプ下、「ト」ハッチロック開放完了、リードスイッチ左右、「チ」ハッチロック完了、リードスイッチ左右、「リ」ハッチ閉確認近接スイッチ、の各制御を行う。
【００８０】
また、操作盤７には、リモコン送信機７４からの信号を受信するリモコン受信機７３が接続されている。リモコン送信機７４は、上記操作盤７のスイッチパネル７１と同様に、四つの押しボタンスイッチを備えている。なお、符号７４４は電源スイッチである。
【００８１】
左上の「１」のスタートスイッチ７４０は、吸引作業、加圧・圧送作業で「入」の操作を行うことができ、右上の「２」の停止スイッチ７４１は、同じく「切」の操作を行うことができる。また、左下の「３」のスイッチ７４２は、吸引作業時に「スロットル上げ」の操作を行うことができ、右下の「４」のスイッチ７４３は、吸引作業時のみ「スロットル下げ」の操作を行うことができる。このように、リモコン送信機７４は、操作盤７とほぼ同様の操作が可能である。
【００８２】
（作用）
吸引作業車Ａによる〔１〕吸引作業、〔２〕加圧・圧送作業、〔３〕重力排出作業について、主に図８乃至図１５を参照して説明する。
【００８３】
吸引作業の対象となる回収物は、例えば汚水槽、排水槽、湧水槽、防火水槽等の各種水槽、或いはコンクリート打設面などの平面、路面など種々の吸引作業現場に貯留又は堆積しているものであり、砂利を含む比較的大きな固体の粒子体、微細な粒子からなる粉体、コロイド溶液からなるゲルやゾルなどのジェル、汚水などの泥状の不純物を含む流体及びこれらの混合物からなるものである。
【００８４】
吸引接続管１３０に接続された所定長さの吸引ホース１３１の先端には、吸引先端口（図示省略）を備える。作業者は複数でもよいが、以下の説明では、作業者が最小限の一人の場合で説明する。作業者は、リモコン送信機７４を携帯している。
【００８５】
〔１〕吸引作業
この作業では、真空ポンプ５を吸引ポンプとして使用する。
まず、ＰＴＯ（動力取出軸）のスイッチを入れ、操作盤７のモード切替スイッチ７００を吸引作業側へ入れる。ＰＴＯは、真空ポンプ５、及び油圧ポンプを回転させる。
【００８６】
パイロットランプ７０１の点灯確認後、作業モード切替パネル７０を開き、スイッチパネル７１のスタートスイッチ７１０を押すか、リモコン送信機７４の１ボタンのスタートスイッチ７４０を押すと、制御バルブＶ１の負荷解放弁が閉じ、ロータリーソレノイド６４Ａが作動し、エンジン回転数が所定の回転数に上昇し、吸引作業が開始される。
【００８７】
なお、エンジン回転数は、現場の状況に合わせて適宜調整される。この調整は、スイッチパネル７１の「３」のスイッチ７１２と「４」のスイッチ７１３を操作して行う。なお、リモコン送信機７４でも、「３」のスイッチ７４２と「４」のスイッチ７４３で操作可能である。
【００８８】
また、エンジン回転の上限は、適宜設定された回転数に設定される。このようにして、吸引作業が開始される。なお、スロットルを調整する上記各スイッチを押し続けても、安全のため設定された回転数以上には上がらないようになっている。
【００８９】
なお、吸引作業では、上記制御バルブＶ１と同時に制御バルブＶ２、Ｖ３、Ｖ４が吸引作業に対応して開閉操作される。詳しくは、制御バルブＶ１、Ｖ２、Ｖ３、Ｖ４は、図１０に示すように開閉装置９、９ａ、９ｂ、９ｃにより操作され、制御バルブＶ１は「閉」、制御バルブＶ２は「開」、制御バルブＶ３は「閉」、制御バルブＶ４は「開」となって、図８に示す吸引作業のための送給経路が形成される。
【００９０】
これにより、吸引ホース１３１から吸引された回収物は、メインタンク１に入り、固形分は下層となり、液分とエアは上層となる。エア及び液分の一部は、移送ホース１２、導入管２０、サイクロン２を通り、制御バルブＶ２を通過してサブタンク３に入る。サブタンク３内では、液位センサＳ１が液位を常時監視している。
【００９１】
更に、サブタンク３内の上層のエアが送給管５０を通り、真空ポンプ５に入り、送給管４０を通って制御バルブＶ４を通過し、冷却水タンク４に入る。そして、冷却水タンク４内の上層のエアは排気管４１から大気に放出され、水量が維持されている下層の水（冷却水）は送給管４２を通り、送給管５０に合流し、真空ポンプ５に入って真空ポンプ５を冷却する。
【００９２】
吸引作業中に何らかの不具合（例えば、作業者に対する吸引ホース１３１の吸着など）が発生し、吸引作業を中断しなければならない場合、操作盤７の「２」の停止スイッチ７１１を押すか、リモコン送信機７４の「２」の停止スイッチ７４１を押すと制御バルブＶ１（負荷解放弁）が開になって、送給経路が図１４に示す経路となり、同時にエンジン回転数は中立状態（アイドリング状態）の所定の回転数になる。
【００９３】
中立状態では、図１４、図１５に示すように、制御バルブＶ１は「開」、制御バルブＶ２は「開」、制御バルブＶ３は「閉」、制御バルブＶ４は「開」となり、中立状態とするための送給経路が形成される。すなわち、送給管５１の制御バルブＶ１を通過したエアが真空ポンプ５に入り、送給管４０を通り、制御バルブＶ４を通過して冷却水タンク４に入り、上層のエアは排気管４１から大気へ放出される。
【００９４】
これにより、吸引ホース１３１の吸着が解除され、作業者は自由に動くことができるようになり、周囲の状況を確認して再度吸引作業を始めることができる。再開すると、エンジン回転数も元に戻り、吸引作業が継続される。
【００９５】
作業終了後は、操作盤７の「４」のスイッチ７１３又はリモコン送信機７４の「４」のスイッチ７４３によりスロットルを下げて、次回の吸引作業時のエンジン回転数の急激な上昇を防止するために、スロットル上げのランプを消灯しておく。
【００９６】
（真空ポンプ５の保護）
吸引作業中に、メインタンク１が満量になっても、バルブに固形物が詰まる不具合などで吸引作業が停止せずに、回収物がサブタンク３に送られてしまうことがある。こうなると、サブタンク３に溜まることになり、回収物が流入し、オーバーフローして、送給管５０を通り真空ポンプ５０に入ってしまう恐れがある。
【００９７】
本発明の吸引作業車Ａでは、サブタンク３に回収物が流入すると液位が上がることを利用して、液位が予め設定した所要量以上になると、それを液位センサＳ１で検知して、制御部７２に信号を送り、吸引作業を停止させる。これにより、真空ポンプ５へ回収物の一部が送られて真空ポンプ５の破損が起こることが抑止され、重大な故障の発生を防止することができる。
【００９８】
また、吸引作業中に、気化することにより、冷却水タンク４内の冷却水の量が維持されなくなって、減ってしまうことがある。この場合、真空ポンプ５へ送られる冷却水が足りずに真空ポンプ５が焼き付いてしまうことがあった。
【００９９】
本発明の吸引作業車Ａでは、冷却水タンク４内の冷却水の水位が予め設定した所要量以下になると、それを液位センサＳ２で検知して、制御部７２に信号を送り、吸引作業を停止させる。これにより、真空ポンプ５へ送られる冷却水が足りない状態で真空ポンプ５が作動を続けて焼き付いてしまうことが抑止され、重大な故障の発生を防止することができる。
【０１００】
〔２〕加圧・圧送作業
この作業では、真空ポンプ５を加圧ポンプとして使用する。
加圧・圧送作業においては、回収物は必ず流動性のあるもので、ホースで排出できるものが対象となる。
【０１０１】
まず、圧送接続管１３２に接続した圧送ホース（図示省略）を排出する箇所にセットする。次に、ＰＴＯ（動力取出軸）のスイッチを入れ、操作盤７のモード切替スイッチ７００を加圧・圧送作業側へ入れる。ＰＴＯは、真空ポンプ５、及び油圧ポンプを回転させる。
【０１０２】
パイロットランプ７０３の点灯確認後、作業モード切替パネル７０を開き、スイッチパネル７１のスタートスイッチ７１０を押すか、リモコン送信機７４の１ボタンのスタートスイッチ７４０を押すと、各バルブが作動し、ロータリーソレノイド６４Ｂが作動し、エンジン回転数が所定の回転数に上昇し、加圧・圧送作業が開始される。
【０１０３】
なお、加圧・圧送作業では、上記制御バルブＶ２、Ｖ３、Ｖ４が加圧・圧送作業に対応して開閉操作される。詳しくは、制御バルブＶ１、Ｖ２、Ｖ３、Ｖ４は、図１２に示すように開閉装置９、９ａ、９ｂ、９ｃにより操作され、制御バルブＶ１は「開」、制御バルブＶ２は「閉」、制御バルブＶ３は「開」、制御バルブＶ４は「閉」となって、図１１に示す加圧・圧送作業のための送給経路が形成される。
【０１０４】
これにより、エアが送給経路５０から制御バルブＶ１を通過して真空ポンプ５に入り、送給管４０を通り、制御バルブＶ４を通過し、送給管３１の制御バルブＶ３を通過して、サイクロン２、導入管２０、移送ホース１２を通り、メインタンク１に入る。これにより、メインタンク１内の圧力が上がり、回収物が圧送接続管１３２に接続された圧送ホースから排出される。
【０１０５】
そして、圧送接続管１３２のボールバルブに回収物などが詰まり排出不能となった場合、加圧空気はメインタンク１の調圧弁２１より吹き出し、メインタンク１や真空ポンプ５の不具合発生を防止している。なお、調圧弁２１の作動は、例えば0.05−0.07Mpaで設定されている。
【０１０６】
加圧・圧送作業が終了したとき、操作盤７の「２」の停止スイッチ７１１を押すか、リモコン送信機７４の「２」の停止スイッチ７４１を押すと、制御バルブＶ１、Ｖ２、Ｖ３、Ｖ４が開閉操作されて、送給経路が図１４に示す経路となり、同時にエンジン回転数は中立状態（アイドリング状態）の所定の回転数になる。
【０１０７】
なお、回収物の圧送は、圧送ホースを接続した定められた場所に排出して行われる。このとき、回収物の固形分と液分の比重の差が大きいと、固形分などの重いものが下に溜まり、排出が困難になる。この対策として、以下の方法がある。
【０１０８】
まず、圧送接続管１３２に吸引ホース１３１を接続してセットし、モード切替スイッチ７００を吸引側へ入れ、パイロットランプ７０１の点灯確認後、操作盤７の「１」のスタートスイッチ７１０を押すか、リモコン送信機７４の「１」のスタートスイッチ７４０を押し、吸引ホース１３１が接続された圧送接続管１３２のボールバルブを開けると、吸引ホース１３１から急激に空気が流入する。
【０１０９】
この風圧により、メインタンク１内の回収物が撹拌され、固形分の中の比重に差があるもの同士が液分と混ざり合い、圧送ホース（吸引接続管１３０側を外した上記撹拌を行った吸引ホース１３１でも代用可）によって排出可能となる。
【０１１０】
この後、吸引作業を停止し、モード切替スイッチ７００を加圧・圧送側へ入れて、メインタンク１内を加圧し、圧送ホースを通して排出する。これが有効なのは、吸引から加圧の切り替えがごく短時間で行うことができるので、撹拌による混合状態が維持され、その状態で圧送可能なためである。
【０１１１】
〔３〕重力排出作業
吸引作業で吸引した回収物をメインタンク１内に収容して積載した後、回収物の中で流動性に乏しい固形分などを排出する場合は、図１３に示すようにメインタンク１の後部のハッチ１３を開き、メインタンク１の前部をダンプアップして、内部の固形分を自然落下させて排出する。具体的には次のように行われる。
【０１１２】
まず、エンジン回転数を、指定された回転数にセットし、ハッチ１３のロックを、ハッチロックレバー（図示省略）を操作してロック装置１５を作動させて解除する。次に、油圧切替レバー（図示省略）をハッチ開の方向へ操作し、制御部７２によって油圧シリンダー１４を作動させてハッチ１３を開く。
【０１１３】
ハッチ全開後、ダンプレバー（図示省略）を上昇側に操作し、制御部７２により油圧シリンダー１１を作動させて、ダンプアップする。なお、ダンプアップの際、移送ホース１２は自由に変形するので、無理に動くところはなく、作業に支障は生じない。
【０１１４】
メインタンク１内の回収物の固形分が完全に排出されたことを確認後、油圧シリンダー１１を作動させて、ダンプダウンし、油圧切替レバーをハッチ閉の方向へ操作する。ハッチ閉の確認後、ハッチロックレバーを操作しロック装置１５を作動させてハッチ１３をロックする。そして、エンジン回転数を中立状態にして、重力排出作業を完了する。
【０１１５】
なお、重力排出作業は、操作盤７の各スイッチとリモコン送信機７４の各スイッチの操作でも行うことができる。本発明の吸引作業車Ａでは、ロック装置１５によるハッチ開閉、ダンプ上げ下げを行う油圧シリンダー１１、１４に三連電磁切替弁を使用し、電気信号により各油圧シリンダー１１、１４を連動させるようにしている。
【０１１６】
また、上記したようにハッチ１３の上部側に取り付けられた近接センサ（図示省略）を有し、近接センサはハッチ閉の信号を出力する。更に、ハッチ１３のロック開放・ロックを感知するスイッチ、ハッチ１３のロック完了を知らせるブザー、エンジン回転を制御するロータリーソレノイド６４Ｂ、これらを制御する制御回路などを備える（何れも図示省略）。加圧・圧送作業、及び重力排出作業は、エンジン回転数が１０００回転（ｒｐｍ）と定められているので、そのためにロータリーソレノイド６４Ｂが作動する。
【０１１７】
（重力排出作業の際の操作盤７の各スイッチとリモコン送信機７４の各スイッチの操作）
ＰＴＯ（動力取出軸）のスイッチを入れ、モード切替スイッチ７００を中立・重力排出作業モードに切り替え、パイロットランプ７０２の点灯を確認する。このとき、制御部７２の制御回路は中立・重力排出制御回路に変わり、電源は投入されている。
【０１１８】
排出作業の手順は、ハッチ１３のロック開放⇒ハッチ開⇒ダンプアップ、の手順で行われる。まず、ハッチ１３のロック開放とハッチ開を、操作盤７の「１」のスタートスイッチ７１０又はリモコン送信機７４の「１」のスタートスイッチ７４０の操作で同時に行う。
【０１１９】
スイッチパネル７１のスタートスイッチ７１０を押し続けるか、リモコン送信機７４の「１」のスタートスイッチ７４０を押し続けると、スイッチからの信号は電磁切り替え弁及びアクセル操作のロータリーソレノイド６４Ｂへ入力されて、エンジン回転数は設定された回転数になり、油圧シリンダー１４は、閉側へ作動し、ロック装置１５の油圧シリンダー１５５も同時にロック開放側へ作動し、ハッチ１３のロック開放はスムーズに行われる。
【０１２０】
ハッチ１３のロック開放が完了すると、ロックの開放信号が制御回路に入力され、制御回路から電磁弁に信号が入力されて、油圧シリンダー１４がハッチ開の方向へ作動してハッチ１３が開く。
【０１２１】
ハッチ開を確認後、ダンプ上げスイッチ（操作盤７の「３」のスイッチ７１２）を押し続けるか、リモコン送信機７４の「３」のスイッチ７４２を押し続けると、制御回路からの信号は電磁切替弁、アクセル操作のロータリーソレノイド６４Ｂへ入力されて、エンジン回転は適宜設定された回転数になり、油圧シリンダー１１はダンプ上げ方向に作動し、メインタンク１の前側が上昇して、回収物を自然落下させて排出する。
【０１２２】
メインタンク１内の回収物が完全に落下したことを確認後、ダンプ下のスイッチ（操作盤７の「４」のスイッチ７１３）を押し続けるか、リモコン送信機７４の「４」のスイッチを押し続けると、制御回路からの信号が電磁切替弁・ロータリーソレノイドに入力され、エンジン回転が指定された回転数になり、油圧シリンダー１１はダンプ下げの方向に作動し、メインタンク１の前側が降下する。
【０１２３】
メインタンク１が完全に降下したことを確認後、ハッチ閉のスイッチ（操作盤７の「２」の停止スイッチ７１１）を押し続けるか、リモコン送信機７４の「２」の停止スイッチ７４１を押し続けると、制御回路からの信号は、ロータリーソレノイドに入力され、エンジン回転は指定された回転数になり、ハッチ１３は閉方向に動き、ハッチ閉になると、メインタンク１上部側に取り付けられたハッチ閉完了スイッチである近接センサが作動する。
【０１２４】
ハッチ１３を完全に閉にするため、近接センサが作動後、１．５−２秒間、油圧シリンダー１４は閉の方向へ作動した後、ハッチ閉信号が制御回路に入力され、制御回路から電磁切替弁に電気信号が入力され、油圧シリンダー１４は閉方向へ作動して、ロック装置１５によりハッチ１３のロックが行われる。このとき、ハッチ１３のロック完了リードスイッチ（左右）が入になると、ロック完了を知らせるブザーが鳴り、排出作業が完了する。
【０１２５】
このように、重力排出作業は、回収物（積載物）を一気に自然落下させて排出するため、特に危険を伴う作業である。この作業では、車両近くに人がいないか、排出された回収物が周りに飛散しないか、充分に注意を払わなければならない。
【０１２６】
本発明の吸引作業車Ａでは、この作業を上記のようにリモコン送信機７４を操作して行うことにより、車両周りを充分に監視することができ、万一不具合が発生した場合でも、車両側の操作盤７での操作は必ずしも必要なく、直ちに作業を中断できるので、安全性が高い。
【０１２７】
本明細書及び特許請求の範囲で使用している用語と表現は、あくまでも説明上のものであって、何ら限定的なものではなく、本明細書及び特許請求の範囲に記述された特徴及びその一部と等価の用語や表現を除外する意図はない。また、本発明の技術思想の範囲内で、種々の変形態様が可能であるということは言うまでもない。
【符号の説明】
【０１２８】
Ａ  吸引作業車
Ｃ  車台
１  メインタンク１
１０  ボディ
１００  横軸
１１  油圧シリンダー
１２  移送ホース
１０２  フランジ
１３  ハッチ
１０１  横軸
１３０  吸引接続管
１３１  吸引ホース
１３２  圧送接続管
１３４  フランジ
１４  油圧シリンダー
１５  ロック装置
１５０  軸
１５１  ロック片
１５２  軸受部材
１５３  アーム片
１５４  取付部材
１５５  油圧シリンダー
１５６  ボルトピン
２  サイクロン
２０  導入管
２１  調圧弁
３  サブタンク
３０  送給管
３１  接続管
４  冷却水タンク
４０  送給管
４１  排気管
４２  送給管
Ｖ１、Ｖ２、Ｖ３、Ｖ４  制御バルブ
５  真空ポンプ    
５０  送給管
５１  送給管
Ｓ１  液位センサ
Ｓ２  液位センサ
６  スロットル上下装置
６０  ガイドフレーム
６００  固定ワイヤ
６１  ストロークモーター
６２  ガイド
６３  昇降フレーム
６４Ａ  ロータリーソレノイド
６４Ｂ  ロータリーソレノイド
６４０  作動アーム
６５  バネ
６６  支軸
６７  ブラケット
６８  駆動アーム
７  操作盤
７０  作業モード切替パネル
７００  モード切替スイッチ
７０１  パイロットランプ
７０２  パイロットランプ
７０３  パイロットランプ
７０４  パイロットランプ
７１  スイッチパネル
７１０  スタートスイッチ
７１１  停止スイッチ
７１２  スイッチ
７１３  スイッチ
７２  制御部
７３  リモコン受信機
７４  リモコン送信機
７４０  スタートスイッチ
７４１  停止スイッチ
７４２  スイッチ
７４３  スイッチ
７４４  電源スイッチ
８  エアタンク
８０  イ弁
８１  ロ弁
８２  ハ弁
９、９ａ、９ｂ、９ｃ  開閉装置
９０  基盤
９１  エアシリンダー
９２  揺動レバー
【要約】
【課題】吸引作業中の真空ポンプの破損や焼き付きを自動的に抑止して、真空ポンプを保護することができる吸引作業車を提供する。
【解決手段】吸引作業車Ａは、メインタンク１と、メインタンク１から真空ポンプ５に繋がり、経路中に制御バルブＶ２を有する第一の送給経路と、真空ポンプ５を通り、経路中に制御バルブＶ４を有する、冷却水を循環させる第二の送給経路と、第一の送給経路又は第二の送給経路に、各送給経路を通る流体の流量又は液位を監視するセンサＳ１、Ｓ２を有するサブタンク３、冷却水タンク４と、メインタンク１を傾けて、重力排出を行うダンプ機構部と、各送給経路を通る流体の流量又は液位が真空ポンプに不具合を生じる意味の変化をしたときに吸引作業を停止する制御部と、各送給経路の各制御バルブＶ１、Ｖ２、Ｖ３、Ｖ４を操作して各作業のモード切り替えが可能な操作部とを備える。
【選択図】図８【図１】
0006901174.tif 000002
【図２】
0006901174.tif 000003
【図３】
0006901174.tif 000004
【図４】
0006901174.tif 000005
【図５】
0006901174.tif 000006
【図６】
0006901174.tif 000007
【図７】
0006901174.tif 000008
【図８】
0006901174.tif 000009
【図９】
0006901174.tif 000010
【図１０】
0006901174.tif 000011
【図１１】
0006901174.tif 000012
【図１２】
0006901174.tif 000013
【図１３】
0006901174.tif 000014
【図１４】
0006901174.tif 000015
【図１５】
0006901174.tif 000016